(57)【要約】【課題】本発明は、除湿装置において、除湿能力の向上及び、生産性の向上を図ることを目的とするものである。【課題手段】本発明は、吸気口１と排気口２を有する本体ケース３内に、前記吸気口１から本体ケース３内に吸気した空気を、吸熱器８を介して排気口２へと送風する第二の送風路と、この第二の送風路１７内の吸気口１と吸熱器８の間に、回転駆動する風量調整手段１３を設け、この風量調整手段１３の回転軸１３ｂは、前記吸気口１の開口部の端面より内側に設ける構成とし、これにより初期の目的を達成するものである。【選択図】図５
2010162514.tif 000002
【特許請求の範囲】
【請求項１】
吸気口と排気口を有する本体ケースと、この本体ケース内に設けられたヒートポンプとを備え、前記ヒートポンプは、圧縮機と、圧縮機の下流に順次設けた放熱器、膨張手段、吸熱器とにより形成し、前記吸気口から本体ケース内に吸気した空気を放熱器、吸熱器を順次介して排気口へと送風する第一の送風路と、前記吸気口から本体ケース内に吸気した空気を吸熱器を介して排気口へと送風する第二の送風路と、これら第一、第二の送風路に送風するための送風手段を設けるとともに、前記第一の送風路の放熱器と吸熱器の間に除湿ローターの放湿部を設け、この除湿ローターの吸湿部は前記第一と第二の送風路の吸熱器と排気口の間に設け、前記第一の送風路の放熱器と除湿ローターの放湿部との間にヒーターを設け、前記第二の送風路内の吸気口と吸熱器の間には、回転駆動する風量調整手段を設け、この風量調整手段の回転軸は、前記吸気口の開口部の端面より内側に設ける構成とした除湿装置。
【請求項２】
風量調整手段の回転軸は、縦方向に配置し、この縦方向に配置した回転軸は、吸気口の開口部の左右端面より内側に設けた請求項１記載の除湿装置。
【請求項３】
風量調整手段は、上下方向に配置した長方形板で形成し、この長方形板の上辺と下辺に回転軸を連結した請求項１または２に記載の除湿装置。
【請求項４】
長方形板の上辺と下辺の一端側に回転軸を連結した請求項３記載の除湿装置。
【請求項５】
長方形板は、白色系とした請求項３または４に記載の除湿装置。
【請求項６】
吸気口の内方には、上下方向にのばした複数の桟を所定間隔離して設け、これら複数の桟のうち、左右端の少なくとも一方に設けた桟の外方側の吸気口部分を、風量調整手段の動作確認窓とした請求項１〜５のいずれか一つに記載の除湿装置。
【請求項７】
本体ケースの背面側に吸気口を設け、風量調整手段は、本体ケース内の前面側に配置した請求項１〜６のいずれか一つに記載の除湿装置。
【請求項８】
本体ケース内の背面側と前面側間には、背面側から前面側に向けて放熱器、ヒーター、除湿ローター、吸熱器を順次配置し、吸熱器の側方に風量調整手段を配置した請求項１〜７のいずれか一つに記載の除湿装置。
【請求項９】
放熱器とヒーター間に、送風手段を設け、この送風手段は、ケースと、このケース内に設けたファンとにより構成し、前記ケースの左右部分は、円弧形状とした請求項８に記載の除湿装置。
【請求項１０】
吸気口の内方には、上下方向にのばした複数の桟を所定間隔離して設け、これら複数の桟のうち、左右端の少なくとも一方に設けた桟の外方側の吸気口部分を、風量調整手段の動作確認窓とし、送風手段を構成するケースの左右円弧形状部分は、吸気口の動作確認窓よりも内方に配置した請求項９に記載の除湿装置。
【発明の詳細な説明】
【技術分野】
【０００１】
本発明は、ヒートポンプを活用した除湿装置に関する。
【背景技術】
【０００２】
従来のこの種の除湿装置の構成は以下のようになっていた。
【０００３】
すなわち、吸気口と排気口を有する本体ケースと、この本体ケース内に設けられたヒートポンプとを備え、前記ヒートポンプは、圧縮機と、圧縮機の下流に順次設けた放熱器、膨張手段、吸熱器とにより形成し、前記吸気口から本体ケース内に吸気した空気を放熱器、吸熱器を順次介して排気口へと送風する送風手段を設けた構成となっていた（例えば、これに類似する先行文献は下記特許文献１に記載されている）。
【特許文献１】特開平６−３３１１６７号公報
【発明の開示】
【発明が解決しようとする課題】
【０００４】
上記従来例における課題は、除湿能力が低いということであった。
【０００５】
すなわち、従来の除湿装置においては、吸熱器で室内空気を結露させ、これによって除湿を行おうとするものであるが、吸熱器には室内空気がそのまま供給される構成となっており、供給される空気を結露しやすい状態（含有水分量を増やす、相対湿度を上げる）にすることができず、除湿能力向上させるには限界があった。また、冬季のように室温が低い場合、吸熱器に霜が付着（着霜状態）するので、除霜しながら運転することになり除湿能力が著しく低下することになる。さらに、その空気中に含まれる水分の絶対量が少ないので、除湿能力には限界があり、結論として除湿能力を向上することができなかった。
【０００６】
そこで本発明は、除湿能力の向上を図るとともに、生産性の向上を図ることを目的とするものである。
【課題を解決するための手段】
【０００７】
そしてこの目的を達成するために本発明は、吸気口と排気口を有する本体ケースと、この本体ケース内に設けられたヒートポンプとを備え、前記ヒートポンプは、圧縮機と、圧縮機の下流に順次設けた放熱器、膨張手段、吸熱器とにより形成し、前記吸気口から本体ケース内に吸気した空気を放熱器、吸熱器を順次介して排気口へと送風する第一の送風路と、前記吸気口から本体ケース内に吸気した空気を吸熱器を介して排気口へと送風する第二の送風路と、これら第一、第二の送風路に送風するための送風手段を設けるとともに、前記第一の送風路の放熱器と吸熱器の間に除湿ローターの放湿部を設け、この除湿ローターの吸湿部は前記第一と第二の送風路の吸熱器と排気口の間に設け、前記第一の送風路の放熱器と除湿ローターの放湿部との間にヒーターを設け、前記第二の送風路内の吸気口と吸熱器の間には、回転駆動する風量調整手段を設け、この風量調整手段の回転軸は、前記吸気口の開口部の端面より内側に設ける構成とし、これにより初期の目的を達成するものである。
【発明の効果】
【０００８】
以上のように本発明は、吸気口と排気口を有する本体ケースと、この本体ケース内に設けられたヒートポンプとを備え、前記ヒートポンプは、圧縮機と、圧縮機の下流に順次設けた放熱器、膨張手段、吸熱器とにより形成し、前記吸気口から本体ケース内に吸気した空気を放熱器、吸熱器を順次介して排気口へと送風する第一の送風路と、前記吸気口から本体ケース内に吸気した空気を吸熱器を介して排気口へと送風する第二の送風路と、これら第一、第二の送風路に送風するための送風手段を設けるとともに、前記第一の送風路の放熱器と吸熱器の間に除湿ローターの放湿部を設け、この除湿ローターの吸湿部は前記第一と第二の送風路の吸熱器と排気口の間に設け、前記第一の送風路の放熱器と除湿ローターの放湿部との間にヒーターを設け、前記第二の送風路内の吸気口と吸熱器の間には、回転駆動する風量調整手段を設け、この風量調整手段の回転軸は、前記吸気口の開口部の端面より内側に設ける構成としたものであり、除湿能力の向上及び、生産性の向上を図ることができる。
【０００９】
すなわち、本発明では、前記第一の送風路の放熱器と吸熱器の間に除湿ローターの放湿部を設け、この除湿ローターの吸湿部は前記第一と第二の送風路の吸熱器と排気口の間に設け、前記第一の送風路の放熱器と除湿ローターの放湿部との間にヒーターを設けたものであるので、たとえ室温が低い冬季であってもヒーターで除湿ローターの放熱器を通過する空気を加熱することにより、この放湿部から大量の水分を蒸発させ、次にこの大量の水分を吸熱器で結露させることができるので、結論としてその除湿能力を向上させることができるのである。
【００１０】
また、この吸熱器で結露された後の空気は次に除湿ローターの吸湿部に到達することになるが、この吸湿部は上述したように、放湿部においてヒーターで加熱され乾燥状態となっているので、低温状態でも十分にそこに含まれる水分を吸湿することができる。
【００１１】
そして、このような構成に加え本発明では、前記吸気口から本体ケース内に吸気した空気を放熱器、吸熱器を順次介して排気口へと送風する第一の送風路と、前記吸気口から本体ケース内に吸気した空気を吸熱器を介して排気口へと送風する第二の送風路とを設けるとともに、第二の送風路には風量調整手段を設けたので、第一の送風路の活用に加え、第二の送風路の風路調整をした活用ができるので例えば春夏秋冬の各季節ごとに最適な除湿運転をすることができる。その結果として、除湿能力をさらに向上させることができるのである。
【００１２】
さらに、本発明では、風量調整手段の回転軸は、吸気口の開口部の端面より内側に設ける構成としたことにより、この風量調整手段が回転する状態を外観からこの開口部を通して目視することができる。これにより、生産工程において風量調整手段の動作確認を容易にすることができるので、結果として、生産性の向上を図ることができるのである。
【発明を実施するための最良の形態】
【００１３】
以下本発明の一実施形態を添付図面を用いて説明する。
【００１４】
図１は、本発明の一実施形態の構成及び動作が理解されやすいように簡略化して示したものであり、まずは、この図１を用いて全体の構成及び動作について説明する。
【００１５】
図１に示すごとく、本実施形態の除湿装置は、吸気口１と排気口２を有する本体ケース３と、この本体ケース３内に設けられたヒートポンプ４とを備えている。前記ヒートポンプ４は、圧縮機５と、圧縮機５の下流に順次設けた放熱器６、膨張手段７、吸熱器８とにより形成している。前記吸気口１から本体ケース３内には、送風手段９により空気が吸気され、この吸気された空気は、その後放熱器６、吸熱器８を順次介して排気口２へと送風される。
【００１６】
本実施形態において特徴は、送風手段９の風路であって、放熱器６と吸熱器８の間に除湿ローター１０の放湿部１１を設け、この除湿ローター１０の吸湿部１２は吸熱器８と排気口２の間に設けたこと、およびこの風路の放熱器６と除湿ローター１０の放湿部１１との間にヒーター１１Ａを介在させたこと、さらに吸気口１から吸熱器８にいたる第二の送風路１７に風量調整手段１３を介在させたことである。
【００１７】
すなわち、圧縮機５で加圧された冷媒は、放熱器６に送られ、ここで吸気口１から本体ケース３内に吸気された空気を加熱する。次に、放熱器６を通過した冷媒は、膨張手段７に到達し、その後、吸熱器８、次に圧縮機５へと戻るサイクルになっている。上記放熱器６で加熱された空気は、次にヒーター１１Ａで加熱され、その後除湿ローター１０の放湿部１１を通過し、ここで放湿部１１からの湿気を奪った状態で吸熱器８へと流れることになる。
【００１８】
ここでまず、除湿ローター１０の放湿部１１を通過した空気は、吸熱器８で結露が行われ、この結露水は貯水タンク１４へと貯められることになる。
【００１９】
さて、吸熱器８を通過した空気は、この吸熱器８によって低温となるが、低温ながらも湿度は極めて高い状態となっている。この高い湿度を含んだ低温の空気は、次に除湿ローター１０の吸湿部１２を通過することになるのであるが、この吸湿部１２は、駆動手段１５により回転駆動されることにより図１の上方の放湿部１１部分ですでに放湿し、湿度が低い状態となっているものであるので、上記低温ながらも湿度は極めて高い状態の空気から湿気を吸湿することができる。
【００２０】
これらのことから、本実施形態の除湿装置は、除湿効果の極めて高いものとすることができる。
【００２１】
また、本実施形態においては上述のごとく吸気口１から本体ケース３内に吸気した空気を放熱器６、吸熱器８を順次介して排気口２へと送風する第一の送風路１６と、前記吸気口１から本体ケース３内に吸気した空気を吸熱器８を介して排気口２へと送風する第二の送風路１７を設けるとともに、この第二の送風路１７に風量調整手段１３を介在させている。
【００２２】
このような構成において図２を用いて例えば季節に応じた運転モードについて説明する。
【００２３】
まず、定格除湿モードにおいては圧縮機５、送風手段９、駆動手段１５をＯＮ状態とし、ヒーター１１ＡはＯＦＦさらに風量調整手段１３は小開口状態とする。
【００２４】
すなわち、風量調整手段１３は、図３のごとく上下方向に長い長方形板１３ａとし、この長方形板１３ａを回転駆動する構成としているので、長方形板１３ａを回転させて長方形板１３ａの角度を変えることにより、吸気口１から吸熱器８に至る第二の送風路１７の開口面積を変えることができる。長方形板１３ａの角度に応じて、吸気口１から吸熱器８にいたる第二の送風路１７を小開口、中開口、全開、全閉状態に切り替えることができるようになっている。
【００２５】
まずは、この定格除湿モードにおいては小開口状態とする。この結果、吸熱器８には、吸気口１から第一の送風路１６を介して上述した除湿ローター１０の放湿部１１を通過した空気と、吸気口１から第二の送風路１７を介して風量調整手段１３を通過した除湿ローター１０の放湿部１１を通過していない空気とが供給されることになる。
【００２６】
すなわち、このように吸気口１から第二の送風路１７を介して、放熱器６や除湿ローター１０を通過しない空気を吸熱器８に供給する理由は、吸気口１から第二の送風路１７を介して空気を供給しない場合と比較して除湿ローター１０の吸湿領域の通過風量が増加させることによって、除湿ローター１０の吸湿量を増加させ除湿能力を向上させるためである。
【００２７】
この場合ヒーター１１ＡがＯＦＦであるため、除湿ローター１０の水分放湿能力が減少するため、除湿ローター１０の吸放湿のバランスにより、吸気口１からの空気の供給はヒーター１１ＡをＯＮした時と比べて少量とする所に最適混合量が存在する。
【００２８】
そして、このモードでは省エネルギーで必要除湿能力を得ることができる。
【００２９】
次に、衣類を素早く乾燥したいときのパワフル衣類乾燥モードにおいては、圧縮機５、送風手段９、駆動手段１５をＯＮ状態とし、ヒーター１１ＡもＯＮとし、さらに風量調整手段１３は全開状態とする。このように衣類を素早く乾燥したいときはヒーター１１ＡをＯＮ状態、風量調整手段１３を全開状態とすれば、放熱器６から除湿ローター１０の放湿部１１に供給される空気が加熱され、さらに吸気口１から第二の送風路１７を介して風量調整手段１３を通過した除湿ローター１０の放湿部１１を通過していない空気が大風量で供給されることになる。
【００３０】
すなわち、このように吸気口１から第二の送風路１７を介して放熱器６や除湿ローター１０を通過しない空気を吸熱器８に大量供給する理由は、吸気口１から第二の送風路１７を介して空気を供給しない場合と比較してヒーター１１Ａを通過する風量を減少させヒーター１１Ａの温度を上昇させることによって、除湿ローター１０からの放湿量を増加させ、さらに、除湿ローター１０の吸湿領域の通過風量を増加させることによって、除湿ローター１０の吸湿量を増加させ、結果として除湿能力を向上させるためである。また、吹出し風量が最大となるため衣類に大量の空気が供給されることにより、衣類乾燥能力が向上する。
【００３１】
次に、冬季の低温除湿モードにおいては、圧縮機５、送風手段９、駆動手段１５をＯＮ状態とし、ヒーター１１ＡもＯＮとし、さらに風量調整手段１３は中開口状態とする。このように低温時においてはヒーター１１ＡをＯＮ状態、風量調整手段１３を中開口状態とすれば、放熱器６から除湿ローター１０の放湿部１１に供給される空気が加熱され、さらに吸気口１から第二の送風路１７を介して風量調整手段１３を通過した除湿ローター１０の放湿部１１を通過していない空気が中風量で供給されることになる。
【００３２】
すなわち、このように吸気口１から第二の送風路１７を介して放熱器６や除湿ローター１０を通過しない空気を吸熱器８に中量供給する理由は、吸気口１から第二の送風路１７を介して空気を供給しない場合と比較してヒーター１１Ａを通過する風量を減少させヒーター１１Ａの温度を上昇させることによって、除湿ローター１０からの放湿量を増加させ、さらに、除湿ローター１０の吸湿領域の通過風量を増加させることによって、除湿ローター１０の吸湿量を増加させ、結果として除湿能力を向上させるためである。
【００３３】
この場合ヒーター１１ＡがＯＮであるため、除湿ローター１０の水分放湿能力が増加するため、除湿ローター１０の吸放湿のバランスにより、吸気口１からの空気の供給はヒーター１１ＡをＯＦＦした時と比べて多量とする。このモードではヒーター１１ＡをＯＮした時に最大能力を得るために最適な風量バランスとすることができる。
【００３４】
次に、夏季の冷風モードにおいては、圧縮機５、送風手段９、駆動手段１５をＯＮ状態とし、ヒーター１１ＡはＯＦＦとし、さらに風量調整手段１３は全開状態とする。このように高温時においてはヒーター１１ＡをＯＦＦ状態、風量調整手段１３を全開状態とすることで、吸気口１から第二の送風路１７を介して風量調整手段１３を通過した除湿ローター１０の放湿部１１を通過していない空気を大風量で供給することになる。
【００３５】
すなわち、ヒーター１１ＡをＯＦＦし空気が加熱されないようにすることに加え、このように吸気口１から第二の送風路１７を介して放熱器６や除湿ローター１０を通過しない空気を吸熱器８に大量供給する理由は、吸熱器８を通過する風量を最大として吸熱量を増加させ、通過する空気の温度を下げ、かつ、吹出し風量を最大とすることによって冷風能力を向上させるためである。
【００３６】
次に、冬季の極低温時においては（蒸発温センサーが所定の温度以下を検知した場合）、自動的に除霜モードで運転する。このときは、圧縮機５はＯＦＦ、送風手段９はＯＮ、駆動手段１５をＯＮ状態とし、ヒーター１１ＡもＯＮ状態とし、さらに風量調整手段１３は全閉状態とする。
【００３７】
すなわち、極低温時においては圧縮機５を停止することに加え、風量調整手段１３を全閉状態として吸気口１から第二の送風路１７を介して、吸熱器８には空気を供給しない。その理由は、ヒーター１１Ａで加熱された高温の空気のみを吸熱器８に供給することにより素早く吸熱器８の温度を上げて吸熱器８の着霜を溶解し、吸熱器８の着霜による風路の閉塞を防止するためである。但し、除霜モード運転では除湿されないため所定時間除霜モードで運転後は除霜モード運転に入る前に設定されていた運転モードに戻る。
【００３８】
なお、本実施形態において、風量調整手段１３は、本体ケース３内に内蔵させているが、その理由は、風量調整手段１３は回転駆動させるものであるので、外力によって変形・損傷させないためである。
【００３９】
以上の説明により、基本的な構成及び動作が理解されたところで、具体的な構成について図５〜７を用いて説明する。
【００４０】
尚、これらの図５〜７において、図１〜３と同一部品には、同一番号を付している。
図１〜３で説明した本体ケース３は、これら図５〜７からも理解されるように、ほぼ直方体形状となっており、吸気口１は図７に示すごとく、本体ケース３の背面側に設けており、排気口２は、図５に示すごとく、上面側に設けている。
【００４１】
また、風量調整手段１３は、具体的には図５，６からも理解されるように、本体ケース３内の前方からみて右側に、図３で示した長方形板１３ａを各々配置することによって、構成されている。
【００４２】
また、この長方形板１３ａの上辺と下辺に回転軸１３ｂを連結した構成としている。すなわち、回転軸１３ｂを回転することにより、この回転軸１３ｂに連結した長方形板１３ａの角度が変わるため、吸気口１から吸熱器８に至る第二の送風路１７の開口面積を変えることができる。つまり、この長方形板１３ａにより構成した風量調整手段１３により、上述した図１〜３で説明したごとく、吸気口１から吸熱器８に至る第二の送風路１７を小開口、中開口、全開、全閉状態に切り替えることができ、その結果として、春夏秋冬の各季節ごとに最適な除湿運転が行えるようになるのである。
【００４３】
次に、図１〜３で示した吸気口１は、上述したように本体ケース３の背面側に図７のごとく設けたものであり、この吸気口１は、四角形状をしており、その内方には、この図７に示すごとく、左右及び上下に所定間隔を離して複数の桟１ａが設けられている。
【００４４】
そして、これら複数の桟１ａのうち上下方向に設けた桟１ａのうち後方からみて左から２本目よりも左側が風量調整手段１３の動作確認窓１Ａとなっている。つまり、この動作確認窓１Ａ部分を介して本体ケース３内に設けた風量調整手段１３、具体的には長方形板１３ａの動作確認をすることができるようになっている。
【００４５】
また、このような動作確認を容易にするためには、本体ケース３内に設けた風量調整手段１３、具体的には、長方形板１３ａは、白色系としており、これにより、暗い本体ケース３内に配置した長方形板１３ａといえども、この吸気口１の左側に設けた動作確認窓１Ａから容易にその動作確認が行えるようになるものである。
【００４６】
尚、本実施形態においては、動作確認窓１Ａは、図７に示す左から２本の桟１ａよりも左側で構成されているので、結論として、この動作確認窓１Ａは、最も左側の桟１ａの両側に開口をもった状態となっている。ここで、前記風量制御を行うにあたって、風量調整手段１３の長方形板１３ａを全閉状態としたときには、これら最も左側の桟１ａの両側に存在する２つの開口には、長方形板１３ａは全く存在せず、全く確認することもできない状態となる。
【００４７】
また、前記風量制御を行うにあたって、風量調整手段１３の長方形板１３ａを小開口状態としたときには、これら最も左側の桟１ａの両側に存在する２つの開口のうち図７の右側から、長方形板１３ａを確認することができる状態となる。
【００４８】
さらに、前記風量制御を行うにあたって、風量調整手段１３の長方形板１３ａを全開口状態としたときには、これら最も左側の桟１ａの両側に存在する２つの開口のうち図７の右側と左側から、長方形板１３ａを確認することができる状態となる。
【００４９】
また、前記風量制御を行うにあたって、風量調整手段１３の長方形板１３ａを中開口状態としたときには、前記小開口状態と全開口状態の間の状態で、これら最も左側の桟１ａの両側に存在する２つの開口から、長方形板１３ａを確認することができる状態となる。
【００５０】
このため、風量調整手段１３の長方形板１３ａを小開口、中開口、全開、全閉の各々の状態となることをより確実に確認することができる。
【００５１】
また、前記送風手段９を構成するケース９ａは、図５から明らかなように、左右とも、上下に円弧状となっており、このうち、重要なのは図５に示す右側の円弧状部分であって、図７では、表現できてはいないが、この円弧状部分の上下の中間部分は動作確認窓１Ａ内に突出させて本体ケース３とこのケース９ａとの間隔をできるだけ小さくして、この本体ケース３の形状をコンパクト化していることである。
【００５２】
しかし、このように送風手段９のケース９ａを動作確認窓１Ａ内に突出させても、このケース９ａが上述のごとく円弧状としているのでその上下部分においては動作確認窓１Ａ内に存在していない状態とすることができ、このケース９ａ非存在部分の動作確認窓１Ａを介して上述した長方形板１３ａの動作を十分に確認することができる。
【００５３】
従って、本体ケース３の形状のコンパクト化を維持した状態で、しかも動作確認窓１Ａから風量調整手段１３を構成する長方形板１３ａの動作を確実に確認できるものとなる。そして、このように本体ケース３を図５の状態から図６、図７に示すように、完成させた状態の後でも容易に、確実に風量調整手段１３を構成する長方形板１３ａの動作を確実に確認できるので、極めて生産性の高いものとなる。
【００５４】
図４は、本発明の他の実施形態を示すものであって、長方形板１３ａの上辺と下辺の一端側に回転軸１３ｂを連結したものであって、このように一端側に回転軸１３ｂを連結すれば、動作確認窓１Ａから確認することができる長方形板１３ａの面積が増え、より、動作確認が行い易いものとなる。
【産業上の利用可能性】
【００５５】
以上のように本発明は、吸気口と排気口を有する本体ケースと、この本体ケース内に設けられたヒートポンプとを備え、前記ヒートポンプは、圧縮機と、圧縮機の下流に順次設けた放熱器、膨張手段、吸熱器とにより形成し、前記吸気口から本体ケース内に吸気した空気を放熱器、吸熱器を順次介して排気口へと送風する第一の送風路と、前記吸気口から本体ケース内に吸気した空気を吸熱器を介して排気口へと送風する第二の送風路と、これら第一、第二の送風路に送風するための送風手段を設けるとともに、前記第一の送風路の放熱器と吸熱器の間に除湿ローターの放湿部を設け、この除湿ローターの吸湿部は前記第一と第二の送風路の吸熱器と排気口の間に設け、前記第一の送風路の放熱器と除湿ローターの放湿部との間にヒーターを設け、前記第二の送風路内の吸気口と吸熱器の間には、回転駆動する風量調整手段を設け、この風量調整手段の回転軸は、前記吸気口の開口部の端面より内側に設ける構成としたものであり、除湿能力の向上及び、生産性の向上を図ることができる。
【００５６】
すなわち、本発明では、前記第一の送風路の放熱器と吸熱器の間に除湿ローターの放湿部を設け、この除湿ローターの吸湿部は前記第一と第二の送風路の吸熱器と排気口の間に設け、前記第一の送風路の放熱器と除湿ローターの放湿部との間にヒーターを設けたものであるので、たとえ室温が低い冬季であってもヒーターで除湿ローターの放熱器を通過する空気を加熱することにより、この放湿部から大量の水分を蒸発させ、次にこの大量の水分を吸熱器で結露させることができるので、結論としてその除湿能力を向上させることができるのである。
【００５７】
また、この吸熱器で結露された後の空気は次に除湿ローターの吸湿部に到達することになるが、この吸湿部は上述したように、放湿部においてヒーターで加熱され乾燥状態となっているので、低温状態でも十分にそこに含まれる水分を吸湿することができる。
【００５８】
そして、このような構成に加え本発明では、前記吸気口から本体ケース内に吸気した空気を放熱器、吸熱器を順次介して排気口へと送風する第一の送風路と、前記吸気口から本体ケース内に吸気した空気を吸熱器を介して排気口へと送風する第二の送風路とを設けるとともに、第二の送風路には風量調整手段を設けたので、第一の送風路の活用に加え、第二の送風路の風路調整をした活用ができるので例えば春夏秋冬の各季節ごとに最適な除湿運転をすることができる。その結果として、除湿能力をさらに向上させることができるのである。
【００５９】
さらに、本発明では、風量調整手段の回転軸は、吸気口の開口部の端面より内側に設ける構成としたことにより、この風量調整手段が回転する状態を外観からこの開口部を通して目視することができる。これにより、生産工程において風量調整手段の動作確認を容易にすることができるので、結果として、生産性の向上を図ることができるのである。
【００６０】
従って、家庭用や事務所用などの、除湿装置として活用が期待されるものである。
【図面の簡単な説明】
【００６１】
【図１】本発明の一実施形態を模式的に示した断面図
【図２】同制御を示す図
【図３】同風量調整手段を示す斜視図
【図４】本発明の他の実施形態を模式的に示した風量調整手段の斜視図
【図５】本発明の一実施形態を示す分解斜視図
【図６】同上面側からの断面図
【図７】同背面図
【符号の説明】
【００６２】
１      吸気口
１ａ    桟
１Ａ    動作確認窓
２      排気口
３      本体ケース
４      ヒートポンプ
５      圧縮機
６      放熱器
７      膨張手段
８      吸熱器
９      送風手段
９ａ    ケース
１０    除湿ローター
１１    放湿部
１１Ａ  ヒーター
１２    吸湿部
１３    風量調整手段
１３ａ  長方形板
１３ｂ  回転軸
１４    貯水タンク
１５    駆動手段
１６    第一の送風路
１７    第二の送風路
【図１】
2010162514.tif 000003
【図２】
2010162514.tif 000004
【図３】
2010162514.tif 000005
【図４】
2010162514.tif 000006
【図５】
2010162514.tif 000007
【図６】
2010162514.tif 000008
【図７】
2010162514.tif 000009